(57)【要約】【課題】連結部材の小型化を図った上で、連結部材に対して脚部や杆材を安定して固定できる杆材支持構造及び天板付什器を提供する。【解決手段】本発明の一態様に係る天板付什器は、脚部１４の上端部に取り付けられた連結部材１３と、連結部材１３を介して脚部１４の上端部に取り付けられた第１杆材２１と、を備えている。脚部１４は、上下方向で異なる位置に配置された第１上台座部１１３ｃ及び第１下台座部１１３ａを有している。連結部材１３は、第１上杆固定孔８２及び第１下杆固定孔８１を有している。第１下台座部１１３ａ及び第１上台座部１１３ｃ間の距離をＰ２、第１下杆固定孔８１及び第１下台座部１１３ａ間の距離をＰ３、第１上杆固定孔８２及び第１上台座部１１３ｃ間の距離をＰ４とすると、距離Ｐ３，Ｐ４は、距離Ｐ２よりも短くなっている。【選択図】図８
2020010975.tif 000002
【特許請求の範囲】
【請求項１】
床面から起立する脚部と、
前記脚部の上端部に取り付けられた連結部材と、
前記連結部材を介して前記脚部の上端部に取り付けられ、上下方向に交差する第１方向に延びる第１杆材と、を備え、
前記脚部は、上下方向で異なる位置に配置された上台座部及び下台座部を有し、
前記連結部材は、
前記上台座部に固定された第１脚固定部及び前記下台座部に固定された第２脚固定部と、
前記第１杆材に対して上下方向で異なる位置に固定された第１上杆固定部及び第１下杆固定部と、を有し、
前記下台座部及び前記第１下杆固定部間の距離は、前記上台座部及び前記下台座部間の距離よりも短く、
前記上台座部及び前記第１上杆固定部間の距離は、前記上台座部及び前記下台座部間の距離よりも短い杆材支持構造。
【請求項２】
前記第１脚固定部及び前記上台座部は、固定部材によって上下方向で固定され、
前記第２脚固定部及び前記下台座部は、固定部材によって上下方向で固定されている請求項１に記載の杆材支持構造。
【請求項３】
前記第１上杆固定部及び前記第１下杆固定部は、上下方向から見た平面視で第１方向に交差する第２方向にずれて配置され、
前記第１上杆固定部及び前記第１下杆固定部の少なくとも何れかは、前記第２方向に間隔をあけて複数配置されている請求項１又は請求項２に記載の杆材支持構造。
【請求項４】
前記連結部材を介して前記脚部の上端部に取り付けられ、上下方向から見た平面視で前記第１方向に交差する第２方向に延びる第２杆材を有し、
前記連結部材は、前記第２杆材に対して上下方向で異なる位置に固定された第２上杆固定部及び第２下杆固定部を有し、
前記下台座部及び前記第２下杆固定部間の距離は、前記上台座部及び前記下台座部間の距離よりも短く、
前記上台座部及び前記第２上杆固定部間の距離は、前記上台座部及び前記下台座部間の距離よりも短い請求項１から請求項３の何れか１項に記載の杆材支持構造。
【請求項５】
請求項１から請求項４の何れか１項に記載の杆材支持構造と、
前記第１杆材に支持された天板と、を備えている天板付什器。
【発明の詳細な説明】
【技術分野】
【０００１】
本発明は、杆材支持構造及び天板付什器に関する。
【背景技術】
【０００２】
天板付什器として、天板を支持する枠状の支持フレームと、支持フレームの角部から下方に延設された脚部と、を備える構成が知られている（例えば、下記特許文献１参照）。下記特許文献１において、支持フレームは、各辺に対応する杆材同士が連結部材を介して連結されて構成されている。支持フレームは、上述した連結部材を介して脚部に連結されている。
【先行技術文献】
【特許文献】
【０００３】
【特許文献１】特許第５８４９６５３号公報
【発明の概要】
【発明が解決しようとする課題】
【０００４】
しかしながら、上述した天板付什器では、連結部材及び杆材や脚部の小型化を図り、天板付什器としての体裁を良好なものとした上で、連結部材に対して脚部や杆材を安定して固定する点で未だ改善の余地があった。
【０００５】
本発明は、連結部材及び杆材や脚部の小型化を図り、天板付什器としての体裁を良好なものとした上で、連結部材に対して脚部や杆材を安定して固定できる杆材支持構造及び天板付什器を提供することを目的とする。
【課題を解決するための手段】
【０００６】
上記目的を達成するために、本発明の一態様に係る杆材支持構造は、床面から起立する脚部と、前記脚部の上端部に取り付けられた連結部材と、前記連結部材を介して前記脚部の上端部に取り付けられ、上下方向に交差する第１方向に延びる第１杆材と、を備え、前記脚部は、上下方向で異なる位置に配置された上台座部及び下台座部を有し、前記連結部材は、前記上台座部に固定された第１脚固定部及び前記下台座部に固定された第２脚固定部と、前記第１杆材に対して上下方向で異なる位置に固定された第１上杆固定部及び第１下杆固定部と、を有し、前記下台座部及び前記第１下杆固定部間の距離は、前記上台座部及び前記下台座部間の距離よりも短く、前記上台座部及び前記第１上杆固定部間の距離は、前記上台座部及び前記下台座部間の距離よりも短い。
【０００７】
本態様によれば、脚部における連結部材との固定点（下台座部及び上台座部）の位置を上下方向で異ならせることで、脚部の平面視外形の大型化を抑制した上で、固定点の間隔を確保できる。これにより、脚部の小型化を図った上で、脚部のねじれ等に対する剛性を確保し易くなる。
一方、第１下杆固定部及び下台座部間や第１上杆固定部及び上台座部間の間隔を近付けることで、連結部材の大型化を抑制した上で、連結部材における第１杆材との固定点の間隔を確保できる。これにより、連結部材の小型化を図った上で、連結部材のねじれ等に対する剛性を確保し易くなる。
その結果、連結部材及び杆材や脚部の小型化を図り、天板付什器の体裁を良好なものとした上で、連結部材に対して脚部及び第１杆材をそれぞれ安定して固定できる。
【０００８】
上記態様の杆材支持構造において、前記第１脚固定部及び前記上台座部は、固定部材によって上下方向で固定され、前記第２脚固定部及び前記下台座部は、固定部材によって上下方向で固定されていてもよい。
本態様によれば、連結部材と脚部とを台座部において上下方向に離間した位置で固定することで、連結部材と脚部との連結強度を確保できる。よって、天板等の重量物を、杆材を介して安定して支持できる。また、固定部材を脚部の延在方向に沿って配置できるので、脚部の小型化が可能になり、デザイン性を向上させることができる。
【０００９】
上記態様の杆材支持構造において、前記第１上杆固定部及び前記第１下杆固定部は、上下方向から見た平面視で第１方向に交差する第２方向にずれて配置され、前記第１上杆固定部及び前記第１下杆固定部の少なくとも何れかは、前記第２方向に間隔をあけて複数配置されていてもよい。
本態様によれば、連結部材と第１杆材を３点以上で固定することで、連結部材と第１杆材との連結強度を向上させることができる。
【００１０】
上記態様の杆材支持構造において、前記連結部材を介して前記脚部の上端部に取り付けられ、上下方向から見た平面視で前記第１方向に交差する第２方向に延びる第２杆材を有し、前記連結部材は、前記第２杆材に対して上下方向で異なる位置に固定された第２上杆固定部及び第２下杆固定部を有し、前記下台座部及び前記第２下杆固定部間の距離は、前記上台座部及び前記下台座部間の距離よりも短く、前記上台座部及び前記第２上杆固定部間の距離は、前記上台座部及び前記下台座部間の距離よりも短くてもよい。
本態様によれば、第２下杆固定部及び下台座部間や第２上杆固定部及び上台座部間の間隔を近付けることで、連結部材の大型化を抑制した上で、連結部材における第２杆材との固定点の間隔を確保できる。これにより、連結部材の小型化を図った上で、連結部材のねじれ等に対する剛性を確保し易くなる。
【００１１】
本発明の一態様に係る天板付什器は、上記態様に係る杆材支持構造と、前記第１杆材に支持された天板と、を備えている。
本態様によれば、上記態様の杆材支持構造を有しているため、強度及びデザイン性に優れた天板付什器を提供できる。
【発明の効果】
【００１２】
上記各態様によれば、連結部材の小型化を図った上で、連結部材に対して脚部や杆材を安定して固定できる。
【図面の簡単な説明】
【００１３】
【図１】実施形態に係る天板付什器の斜視図である。
【図２】図１のＩＩ−ＩＩ線に沿う断面図である。
【図３】図１のＩＩＩ−ＩＩＩ線に沿う断面図である。
【図４】実施形態に係る連結部材周辺の斜視図である。
【図５】実施形態に係る連結部材周辺を右前方から見た分解斜視図である。
【図６】実施形態に係る連結部材周辺を左側から見た分解斜視図である。
【図７】実施形態に係る連結部材の斜視図である。
【図８】図７のＶＩＩＩ−ＶＩＩＩ線に相当する斜視断面図である。
【図９】図７のＩＸ−ＩＸ線に相当する斜視断面図である。
【図１０】図１のＸ−Ｘ線に沿う断面図である。
【図１１】変形例に係る図９に対応する斜視断面図である。
【発明を実施するための形態】
【００１４】
次に、本発明の実施形態を図面に基づいて説明する。以下の説明において、床面Ｆに直交する方向を上下方向（矢印ＵＰが上側）とし、上下方向に直交する２方向をそれぞれ前後方向（矢印ＦＲが前側）及び左右方向（矢印ＬＨが左側）として説明する。
【００１５】
［天板付什器］
図１は、天板付什器１の斜視図である。
図１に示すように、本実施形態の天板付什器１は、例えばオフィスや公共施設の会議室等に設置されたテーブルである。天板付什器１は、天板１１と、支持フレーム１２と、連結部材１３と、脚部１４と、を備えている。
天板１１は、例えば左右方向を長手方向、前後方向を短手方向とする平面視長方形状に形成されている。但し、天板１１の平面視外形は、長方形状に限らず、正方形状や円形状、三角形状等、適宜変更が可能である。
【００１６】
＜支持フレーム＞
支持フレーム１２は、左右方向（第１方向）に延びる一対の第１杆材２１と、前後方向（第２方向）に延びる一対の第２杆材２２と、を備えている。
各第１杆材２１は、前後方向に間隔をあけて互いに平行に配置されている。
各第２杆材２２は、左右方向に間隔をあけて互いに平行に配置されている。
【００１７】
支持フレーム１２は、第１杆材２１及び第２杆材２２が連結部材１３を介して連結されることで、天板１１の平面視外形に対して一回り小さい長方形の枠状とされている。支持フレーム１２は、天板１１を下方から支持している。なお、支持フレーム１２の平面視形状は、天板１１の平面視外形を補形していなくてもよい。また、本実施形態では、各杆材２１，２２が支持フレーム１２の各辺に対応する構成としているが、この構成のみに限られない。すなわち、支持フレーム１２の一辺を複数の杆材で構成してもよい。
【００１８】
各第１杆材２１の左端部同士の間には、連結部材１３を介して一方の第２杆材２２が架け渡されている。各第１杆材２１の右端部同士の間には、連結部材１３を介して他方の第２杆材２２が架け渡されている。なお、第１杆材２１及び第２杆材２２は、長さや向きが異なる以外は何れも同等の構成により形成されている。そのため、以下では、一方（前側）の第１杆材２１を例にして説明する。そして、他方の第１杆材２１や各第２杆材２２において、一方の第１杆材２１に対応する構成については、同一の符号を付して説明を省略する場合がある。
【００１９】
図２は、図１のＩＩ−ＩＩ線に沿う断面図である。
図２に示すように、第１杆材２１は、例えばアルミニウム等の押出成形により筒状に形成されている。第１杆材２１は、杆材筒部２５と、取付部２６ａ〜２６ｃと、が一体に形成されている。杆材筒部２５は、左右方向から見た側面視外形が扇形に形成されている。但し、杆材筒部２５の側面視形状は、三角形状や矩形状等、適宜変更が可能である。
【００２０】
杆材筒部２５は、外壁部３１と、天壁部３２と、内壁部３３と、を備えている。
外壁部３１は、下方に向かうに従い後方（天板１１における前後方向の中心に向かう方向）に延びる円弧状に形成されている。第１杆材２１は、外壁部３１を前後方向の外側に向けて配置される。
天壁部３２は、外壁部３１の上端部から後方に延設されている。天壁部３２の上面には、天板１１の下面が載置されている。本実施形態において、天壁部３２の後端部は、外壁部３１の下端部（後端部）よりも後方に位置している。
【００２１】
内壁部３３は、外壁部３１の下端部と天壁部３２の後端部とを接続している。内壁部３３は、側面視において上方に向かうに従い段々と後方に延びるクランク状に形成されている。具体的に、内壁部３３は、下壁部４１と、上壁部４２と、接続壁部４３と、を備えている。
【００２２】
下壁部４１は、外壁部３１の下端部から上方に延在している。
上壁部４２は、天壁部３２の後端部から下方に延設されている。
接続壁部４３は、下壁部４１の上端部及び上壁部４２の下端部同士を接続している。すなわち、接続壁部４３は、外壁部３１の下端部よりも上方に位置している。接続壁部４３は、天壁部３２の後部と上下方向で対向している。
【００２３】
図３は、図１のＩＩＩ−ＩＩＩ線に沿う断面図である。
図３に示すように、天壁部３２及び接続壁部４３には、天壁部３２及び接続壁部４３を上下方向で貫通する貫通孔４７が形成されている。貫通孔４７は、左右方向に間隔をあけて複数形成されている。各貫通孔４７内には、下方から天板固定部材４８（例えば、ビス等）が挿通されている。天板固定部材４８は、第１杆材２１を貫通して天板１１に締結されている。これにより、第１杆材２１及び天板１１が互いに連結されている。
【００２４】
図２に示すように、取付部２６ａ〜２６ｃは、杆材筒部２５の内周面から内向きに突設されている。各取付部２６ａ〜２６ｃは、側面視Ｃ字状で左右方向に延在している。各取付部２６ａ〜２６ｃの内周面には、雌ねじ部が形成されている。雌ねじ部は、各取付部２６ａ〜２６ｃの少なくとも両端部に形成されていればよい。
【００２５】
取付部２６ａ〜２６ｃのうち、第１取付部２６ａは、外壁部３１における上下方向の中間部分に形成されている。第２取付部２６ｂは、天壁部３２の後端部に形成されている。第２取付部２６ｂは、リブ４６を介して上壁部４２に形成されている。第３取付部２６ｃは、外壁部３１の上端部と天壁部３２の前端部との境界部分に形成されている。
【００２６】
＜連結部材＞
図４は、連結部材１３周辺の斜視図である。図５は、連結部材１３周辺を右前方から見た分解斜視図である。図６は、連結部材１３周辺を左側から見た分解斜視図である。
図４〜図６に示すように、連結部材１３は、支持フレーム１２の各角部に位置している。連結部材１３は、支持フレーム１２の各角部において、第１杆材２１及び第２杆材２２同士を連結するとともに、支持フレーム１２と脚部１４とを連結している。なお、各連結部材１３は、何れも同様の構成とされている。したがって、以下の説明では、支持フレーム１２における右前方に位置する連結部材１３を例にして説明する。
【００２７】
図７は、連結部材１３の斜視図である。
図７に示すように、連結部材１３は、脚固定壁５１と、脚固定壁５１の外周縁から立設された周壁部５２と、を備えている。
脚固定壁５１は、平面視において、右前方（前後方向及び左右方向の外側）に向けて突の扇形に形成されている。すなわち、図６、図７に示すように、脚固定壁５１は、平面視において、互いに離間する方向に延びる第１辺部５１ａ及び第２辺部５１ｂと、第１辺部５１ａの前端部及び第２辺部５１ｂの右端部同士を接続する接続辺部５１ｃと、を有している。
【００２８】
周壁部５２は、脚固定壁５１の外周縁から上方に延設されている。周壁部５２は、上方に開口する上方開口６０を画成している。すなわち、連結部材１３では、上方開口６０を通じて脚固定壁５１に上方からアクセス可能である。
【００２９】
周壁部５２は、第１辺部５１ａから立設された第１杆固定壁６１と、第２辺部５１ｂから立設された第２杆固定壁６２と、を備えている。したがって、周壁部５２のうち、第１辺部５１ａ及び第２辺部５１ｂの双方に対向する部分（接続辺部５１ｃの上方に位置する部分）は、周壁部５２の内外を開放する側方開口６３を構成している。本実施形態において、側方開口６３は、右前方に向けて開口している。すなわち、連結部材１３では、側方開口６３を通じて右前方から第１杆固定壁６１及び第２杆固定壁６２にアクセス可能である。
【００３０】
図７に示すように、上述した脚固定壁５１は、底壁部６４と、底壁部６４から上方に膨出するボス部（第１ボス部６５、第２ボス部６８及び第３ボス部７１）と、を有している。
【００３１】
第１ボス部６５は、底壁部６４において、第１杆固定壁６１の前端部に対応する部分から上方に膨出している。第１ボス部６５は、平面視で三角形状に形成されている。第１ボス部６５における側面の一部は、第１杆固定壁６１に連なっている。なお、第１ボス部６５の上面は、第１杆固定壁６１の上端縁よりも下方に位置している。
脚固定壁５１において、第１ボス部６５が形成された部分には、第１上凹部６６が形成されている。第１上凹部６６は、上下方向に延在している。第１上凹部６６の下端は、脚固定壁５１の下面で開口している。一方、第１上凹部６６の上端部は、底壁部６４を貫通して第１ボス部６５内で終端している。
【００３２】
第２ボス部６８は、底壁部６４において、第２杆固定壁６２の右端部に対応する位置に形成されている。第２ボス部６８は、平面視で三角形状に形成されている。第２ボス部６８における側面の一部は、第２杆固定壁６２に連なっている。なお、第２ボス部６８の上面と、第１ボス部６５の上面と、は同等の高さに位置している。
脚固定壁５１において、第２ボス部６８が形成された部分には、第２上凹部６９が形成されている。第２上凹部６９は、上下方向に延在している。第２上凹部６９の下端は、脚固定壁５１の下面で開口している。一方、第２上凹部６９の上端部は、底壁部６４を貫通して第２ボス部６８内で終端している。
【００３３】
第３ボス部７１は、底壁部６４において、第１杆固定壁６１及び第２杆固定壁６２の境界部分に形成されている。第３ボス部７１は、平面視で扇形に形成されている。第３ボス部７１における側面の一部は、第１杆固定壁６１及び第２杆固定壁６２にそれぞれ連なっている。
図６に示すように、脚固定壁５１において、第３ボス部７１が形成された部分には、挿通凹部７２が形成されている。挿通凹部７２は、上下方向に延在している。挿通凹部７２は、下方及び左後方に向けて開口している。挿通凹部７２の上端部は、底壁部６４を貫通して第３ボス部７１内で終端している。
【００３４】
上述した連結部材１３は、第１杆固定壁６１が第１杆材２１の右端部に突き合わされ、第２杆固定壁６２が第２杆材２２の前端部に突き合わされた状態で、第１杆材２１及び第２杆材２２にそれぞれ連結されている。
【００３５】
図８は、図７のＶＩＩＩ−ＶＩＩＩ線に相当する断面図である。
図８に示すように、第１杆固定壁６１には、第１杆固定壁６１を左右方向に貫通する複数の第１杆固定孔（第１下杆固定孔８１及び第１上杆固定孔８２，８３）が形成されている。
【００３６】
第１下杆固定孔８１は、第１杆固定壁６１の下部において、第１ボス部６５及び第３ボス部７１の間に位置する部分に形成されている。第１下杆固定孔８１は、第１杆材２１の第１取付部２６ａに左右方向で対向している。第１下杆固定孔８１には、側方開口６３を通じて第１下杆固定部材８５（例えば、ビス等）が挿通されている。第１下杆固定部材８５は、第１取付部２６ａ内で螺着されている。
【００３７】
第１上杆固定孔８２は、第１杆固定壁６１の上部において、第１ボス部６５よりも上方に位置する部分に形成されている。すなわち、第１上杆固定孔８２は、第１下杆固定孔８１の上方であって、前方にずれた位置に配置されている。第１上杆固定孔８２は、第１杆材２１の第３取付部２６ｃに左右方向で対向している。第１上杆固定孔８２には、側方開口６３を通じて第１上杆固定部材８６（例えば、ビス等）が挿通されている。第１上杆固定部材８６は、第３取付部２６ｃ内で螺着されている。
【００３８】
第１上杆固定孔８３は、第１杆固定壁６１の上部において、第３ボス部７１よりも上方に位置する部分に形成されている。すなわち、第１上杆固定孔８３は、第１下杆固定孔８１の上方であって、後方にずれた位置に配置されている。第１上杆固定孔８３は、第１杆材２１の第２取付部２６ｂに左右方向で対向している。第１上杆固定孔８３には、側方開口６３を通じて第１上杆固定部材８７（例えば、ビス等）が挿通されている。第１上杆固定部材８７は、第２取付部２６ｂ内で螺着されている。
これにより、第１杆材２１が連結部材１３に連結されている。
【００３９】
図９は、ＩＸ−ＩＸ線に相当する断面図である。
図９に示すように、第２杆固定壁６２には、第２杆固定壁６２を前後方向に貫通する複数の第２杆固定孔（第２下杆固定孔９１、及び第２上杆固定孔９２，９３）が形成されている。
【００４０】
第２下杆固定孔９１は、第２杆固定壁６２の下部において、第２ボス部６８及び第３ボス部７１の間に位置する部分に形成されている。第２下杆固定孔９１は、第２杆材２２の第１取付部２６ａに前後方向で対向している。第２下杆固定孔９１には、側方開口６３を通じて第２下杆固定部材９５（例えば、ビス等）が挿通されている。第２下杆固定部材９５は、第１取付部２６ａ内で螺着されている。
【００４１】
第２上杆固定孔９２は、第２杆固定壁６２の上部において、第２ボス部６８よりも上方に位置する部分に形成されている。すなわち、第２上杆固定孔９２は、第２下杆固定孔９１の上方であって、右側にずれた位置に配置されている。第２上杆固定孔９２は、第２杆材２２の第３取付部２６ｃに前後方向で対向している。第２上杆固定孔９２には、側方開口６３を通じて第２上杆固定部材９６（例えば、ビス等）が挿通されている。第２上杆固定部材９６は、第３取付部２６ｃ内で螺着されている。
【００４２】
第２上杆固定孔９３は、第２杆固定壁６２の上部において、第３ボス部７１よりも上方に位置する部分に形成されている。すなわち、第２上杆固定孔９３は、第２下杆固定孔９１の上方であって、左側にずれた位置に配置されている。第２上杆固定孔９３は、第２杆材２２の第２取付部２６ｂに前後方向で対向している。第２上杆固定孔９３には、側方開口６３を通じて第２上杆固定部材９７（例えば、ビス等）が挿通されている。第２上杆固定部材９７は、第２取付部２６ｂ内で螺着されている。
これにより、第２杆材２２が連結部材１３に連結されている。
【００４３】
このように、支持フレーム１２は、各角部において、第１杆材２１及び第２杆材２２同士が連結部材１３を介して連結されることで、枠状に形成されている。なお、第１杆固定孔及び第２杆固定孔それぞれは、第１杆固定壁６１及び第２杆固定壁６２に上下方向、左右方向に異なる位置に少なくとも一つずつ配置されていればよい。
【００４４】
図６に示すように、第１杆固定壁６１には、左側に向けて第１位置決め突起８８が形成されている。第１位置決め突起８８は、連結部材１３と第１杆材２１が組み付けられた状態で、杆材筒部２５内に挿入される。第１位置決め突起８８は、杆材筒部２５の内周面（例えば、天壁部３２の下面）に係合され、第１杆材２１を下方から支持する。
第２杆固定壁６２には、後方に向けて第２位置決め突起９８が形成されている。第２位置決め突起９８は、連結部材１３と第２杆材２２が組み付けられた状態で、杆材筒部２５内に挿入される。第２位置決め突起９８は、杆材筒部２５の内周面（例えば、天壁部３２の下面）に係合され、第２杆材２２を下方から支持する。
【００４５】
図７に示すように、脚固定壁５１には、第１脚固定孔（第１下脚固定孔１００、第１上脚固定孔１０１）及び第２脚固定孔（第２下脚固定孔１０２及び第２上脚固定孔１０３）が形成されている。各固定孔１００〜１０３は、脚固定壁５１を上下方向に貫通している。
【００４６】
第１下脚固定孔１００は、底壁部６４において、第１ボス部６５と第３ボス部７１との間に位置する部分に形成されている。図８に示すように、底壁部６４において、第１下脚固定孔１００の周囲に位置する部分には、上方に窪む第１下凹部１０７が形成されている。
第１上脚固定孔１０１は、第１ボス部６５を貫通して、上述した第１上凹部６６内に連通している。すなわち、第１脚固定孔１００，１０１は、上下方向で異なる高さに配置されている。
【００４７】
図９に示すように、第２下脚固定孔１０２は、底壁部６４において、第２ボス部６８と第３ボス部７１との間に位置する部分に形成されている。底壁部６４において、第２下脚固定孔１０２の周囲に位置する部分には、上方に窪む第２下凹部１０８が形成されている。
第２上脚固定孔１０３は、第２ボス部６８を貫通して、上述した第２上凹部６９内に連通している。すなわち、第２脚固定孔１０２，１０３は、上下方向で異なる高さに配置されている。
【００４８】
＜脚部＞
図１に示すように、脚部１４は、床面Ｆから上方に起立している。脚部１４は、下方に向かうに従い隣り合う脚部１４から離間する方向に延在している。なお、脚部１４は、床面Ｆに対して垂直に起立していてもよい。
【００４９】
脚部１４の上端部は、支持フレーム１２の各角部に連結部材１３を介して連結されている。なお、各脚部１４は、何れも同様の構成とされている。したがって、以下の説明では、右前方に位置する脚部１４を例にして説明する。
【００５０】
図１０は、図１のＸ−Ｘ線に沿う断面図である。
図１０に示すように、脚部１４は、平面視において右前方に向けて突の扇形に形成されている。なお、脚部１４の平面視外形は、扇形に限らず、矩形や円形等、適宜変更が可能である。
【００５１】
脚部１４は、脚部本体１０５と、ダクトカバー１０６と、を備えている。
脚部本体１０５は、外装体１１０と、ガイド部１１１と、台座部（第１下台座部１１３ａ、第２下台座部１１３ｂ、第１上台座部１１３ｃ及び第２上台座部１１３ｄ）が一体に形成されて構成されている。
外装体１１０は、平面視において、左後方を向いたＣ字状に形成されている。具体的に、外装体１１０は、一対の脚側壁部（第１脚側壁部１２０及び第２脚側壁部１２１）と、脚側壁部１２０，１２１同士を接続する脚接続壁部１２２と、を有している。
【００５２】
脚側壁部１２０，１２１は、右前方に向かうに従い互いに離間する向きに延在している。
図６に示すように、第１脚側壁部１２０の上端部には、第１杆材収容部１３０が形成されている。第１杆材収容部１３０は、左右方向から見た側面視において、第１脚側壁部１２０の上端縁から下方に切り欠かれて構成されている。具体的に、第１杆材収容部１３０は、脚接続壁部１２２から離間する方向（左後方）に向かうに従い下方に延びる円弧状に形成されている。第１杆材収容部１３０の内周縁の曲率半径は、上述した第１杆材２１の外壁部３１と同等に設定されている。
【００５３】
第２脚側壁部１２１の上端部には、第２杆材収容部１３１が形成されている。第２杆材収容部１３１は、前後方向から見た正面視において、第２脚側壁部１２１の上端縁から下方に切り欠かれて構成されている。具体的に、第２杆材収容部１３１は、脚接続壁部１２２から離間する方向に向かうに従い下方に延びる円弧状に形成されている。第２杆材収容部１３１の内周縁の曲率半径は、上述した第２杆材２２の外壁部３１と同等に設定されている。
【００５４】
図６、図１０に示すように、脚接続壁部１２２は、右前方に向けて突の円弧状に形成されている。脚接続壁部１２２は、脚側壁部１２０，１２１における右前方の端部同士を接続している。
【００５５】
ガイド部１１１は、左後方に向けて開口するＶ字状に形成されている。ガイド部１１１は、脚側壁部１２０，１２１における左後方の端部同士を接続している。ガイド部１１１は、脚側壁部１２０，１２１における左後方の端部から外装体１１０内（右前方）に向けて延びる一対の内向き壁部（第１内向き壁部１３５及び第２内向き壁部１３６）を備えている。内向き壁部１３５，１３６は、脚接続壁部１２２に向かうに従い互いに接近する方向に延在している。
【００５６】
台座部１１３ａ〜１１３ｄは、外装体１１０及びガイド部１１１の内周面から突設されている。各台座部１１３ａ〜１１３ｄは、平面視Ｃ字状で上下方向に延在している。各台座部１１３ａ〜１１３ｄの上部内周面には、雌ねじ部が形成されている。
【００５７】
各台座部１１３ａ〜１１３ｄのうち、第１下台座部１１３ａは、第１内向き壁部１３５に形成されている。第１下台座部１１３ａの上端面は、第１内向き壁部１３５の上端縁と面一に配置されている。
第２下台座部１１３ｂは、第２内向き壁部１３６に形成されている。第２下台座部１１３ｂの上端面は、第２内向き壁部１３６の上端縁と面一に配置されている。なお、第１下台座部１１３ａ及び第２下台座部１１３ｂの上端面は、上下方向で同位置に配置されている。
【００５８】
第１上台座部１１３ｃは、脚接続壁部１２２における第１脚側壁部１２０寄りに位置する部分に形成されている。第２上台座部１１３ｄは、脚接続壁部１２２における第２脚側壁部１２１寄りに位置する部分に形成されている。第１上台座部１１３ｃ及び第２上台座部１１３ｄの上端面は、第１下台座部１１３ａ及び第２下台座部１１３ｂよりも上方であって、脚接続壁部１２２の上端縁よりも下方に位置している。
【００５９】
図５、図８、図９に示すように、脚部本体１０５内には、上述した連結部材１３が上方から挿入されている。具体的に、連結部材１３は、接続辺部５１ｃの向きを脚接続壁部１２２に合わせた状態で、脚接続壁部１２２の上端開口部を通じて脚接続壁部１２２内に挿入されている。この場合、図８に示すように、第１下台座部１１３ａは、上述した第１下凹部１０７内に進入して、第１下凹部１０７の頂壁（底壁部６４）を下方から支持している。第１上台座部１１３ｃは、第１上凹部６６内に進入して第１上凹部６６の頂壁（底壁部６４）を下方から支持している。
【００６０】
図９に示すように、第２下台座部１１３ｂは、上述した第２下凹部１０８内に進入して、第２下凹部１０８の頂壁（底壁部６４）を下方から支持している。第２上台座部１１３ｄは、第２上凹部６９内に進入して第２上凹部６９の頂壁（底壁部６４）を下方から支持している。すなわち、連結部材１３は、各台座部１１３ａ〜１１３ｄに下方から支持され、脚部本体１０５内での下方移動が規制されている。なお、連結部材１３（周壁部５２）の上端縁は、脚接続壁部１２２の上端縁と面一に配置されている。
【００６１】
図８、図９に示すように、連結部材１３は、脚固定部材（第１下脚固定部材１４０、第１上脚固定部材１４１、第２下脚固定部材１４２及び第２上脚固定部材１４３）を介して脚部本体１０５の上端部に取り付けられている。脚固定部材１４０〜１４３は、連結部材１３の上方開口６０を通じて対応する脚固定孔１００〜１０３内に各別に挿通されている。本実施形態において、連結部材１３における第１杆固定壁６１及び第２杆固定壁６２の外側面は、脚部本体１０５（外装体１１０）の外周面よりも内方に配設されている。なお、各脚固定部材１４０〜１４３は、例えばビス等である。
【００６２】
図８に示すように、第１下脚固定部材１４０は、第１下脚固定孔１００を通じて第１下台座部１１３ａ内で螺着されている。第１上脚固定部材１４１は、第１上脚固定孔１０１を通じて第１上台座部１１３ｃ内で螺着されている。図９に示すように、第２下脚固定部材１４２は、第２下脚固定孔１０２を通じて第２下台座部１１３ｂ内で螺着されている。第２上脚固定部材１４３は、第２上脚固定孔１０３を通じて第２上台座部１１３ｄ内で螺着されている。
【００６３】
図５に示すように、本実施形態の天板付什器１は、連結部材１３を介して脚部１４、第１杆材２１及び第２杆材２２が互いに連結されて構成されている。連結部材１３が脚部本体１０５内に挿入された状態において、連結部材１３の側方開口６３は、脚接続壁部１２２に右前方から閉塞されている。すなわち、脚接続壁部１２２の上端部において、側方開口６３を閉塞している部分は、本実施形態の閉塞部を構成している。
【００６４】
図６に示すように、第１杆材収容部１３０内には、第１杆材２１の右端部が収容されている。第２杆材収容部１３１内には、第２杆材２２の前端部が収容されている。また、連結部材１３の上方開口６０は、天板１１により上方から閉塞されている。本実施形態の天板付什器１では、連結部材１３が脚部１４、杆材２１，２２及び天板１１に覆われることで、連結部材１３が外部に露出しないように構成されている。
【００６５】
図１０に示すように、ダクトカバー１０６は、平面視で右前方に開口するＶ字状に形成されている。ダクトカバー１０６は、第１脚側壁部１２０と第１内向き壁部１３５との境界部分、並びに第２脚側壁部１２１と第２内向き壁部１３６との境界部分に形成された係止凹部１５０，１５１に係止されている。これにより、ダクトカバー１０６とガイド部１１１との間には、配線挿通空間Ｓが画成されている。
【００６６】
ここで、連結部材１３の各固定孔（固定部材）のレイアウトについて説明する。なお、本発明に係る第１上杆固定部、第１下杆固定部、第２上杆固定部及び第２下杆固定部とは、連結部材１３における対応する杆材２１，２２や脚部１４との固定点を意味し、本実施形態では上述した各固定孔に相当する。
図８に示すように、第１下杆固定孔８１及び第１上杆固定孔８２間の距離をＰ１、第１下台座部１１３ａ及び第１上台座部１１３ｃ間の距離をＰ２、第１下杆固定孔８１及び第１下台座部１１３ａ間の距離をＰ３、第１上杆固定孔８２及び第１上台座部１１３ｃ間の距離をＰ４とする。この場合、距離Ｐ３，Ｐ４は、距離Ｐ２よりも短くなっている。但し、距離Ｐ３，Ｐ４は、距離Ｐ１及び距離Ｐ２の双方よりも短くなっていてもよい。なお、本実施形態において、距離Ｐ１は距離Ｐ２よりも短く、距離Ｐ４は距離Ｐ３よりも短くなっている。
【００６７】
図９に示すように、第２下杆固定孔９１及び第２上杆固定孔９２間の距離をＱ１、第２下台座部１１３ｂ及び第２上台座部１１３ｄ間の距離をＱ２、第２下杆固定孔９１及び第２下台座部１１３ｂ間の距離をＱ３、第２上杆固定孔９２及び第２上台座部１１３ｄ間の距離をＱ４とする。この場合、距離Ｑ３，Ｑ４は、距離Ｑ２よりも短くなっている。但し、距離Ｑ３，Ｑ４は、距離Ｑ１及び距離Ｑ２の双方よりも短くなっていてもよい。なお、本実施形態において、距離Ｑ１は距離Ｑ２よりも短く、距離Ｑ４は距離Ｑ３よりも短くなっている。また、本実施形態で「距離」とは、図８若しくは図９に示す断面視において、対応する固定孔同士や台座部同士の開口面上での中心間距離である。
【００６８】
［天板付什器の組立方法］
次に、上述した天板付什器１の組立方法について説明する。
まず、図５に示すように、支持フレーム１２を組み立てる。具体的には、第１杆材２１及び第２杆材２２同士を、連結部材１３を介して連結する。この際、連結部材１３の側方開口６３を通じて周壁部５２内に工具等を差し入れることで、第１杆材２１及び第２杆材２２と連結部材１３とを連結する。
これにより、枠状の支持フレーム１２が完成する。
【００６９】
次に、支持フレーム１２に対して脚部１４を組み付ける。具体的には、支持フレーム１２に組み付けられた連結部材１３を脚部１４の上端開口部を通じて脚部１４内に挿入する。これにより、連結部材１３の側方開口６３が脚接続壁部１２２により閉塞される。続いて、連結部材１３の上方開口６０を通じて周壁部５２内に工具等を差し入れることで、脚部１４と連結部材１３とを連結する。なお、連結部材１３を脚部１４内に挿入する作業は、支持フレーム１２を上下逆向きにした状態で床面Ｆに載置して行うことが好ましい。
【００７０】
最後に、支持フレーム１２に天板１１を組み付ける。具体的には、支持フレーム１２上に天板１１を載置した状態で、支持フレーム１２と天板１１とを連結する。これにより、連結部材１３の上方開口６０が天板１１により閉塞される。
以上により、本実施形態の天板付什器１が完成する。
【００７１】
このように、距離Ｐ３，Ｐ４が距離Ｐ２よりも短くなっている構成とした。
この構成によれば、脚部１４における連結部材１３との固定点（第１下台座部１１３ａ及び第１上台座部１１３ｃ）の位置を上下方向で異ならせることで、脚部１４の平面視外形の大型化を抑制した上で、固定点の間隔を確保できる。これにより、脚部１４の小型化を図った上で、脚部１４のねじれ等に対する剛性を確保し易くなる。
一方、第１下杆固定孔８１及び第１下台座部１１３ａ間や第１上杆固定孔８２及び第１上台座部１１３ｃ間の間隔を近付けることで、連結部材１３の大型化を抑制した上で、連結部材１３における杆材２１との固定点の間隔を確保できる。これにより、連結部材１３の小型化を図った上で、連結部材１３のねじれ等に対する剛性を確保し易くなる。
その結果、連結部材１３及び杆材２１や脚部１４の小型化を図り、天板付什器１の体裁を良好なものとした上で、連結部材１３に対して脚部１４及び第１杆材２１をそれぞれ安定して固定できる。
【００７２】
本実施形態では、脚固定部材１４０〜１４３は、脚部１４（台座部１１３ａ〜１１３ｄ）に対して上下方向で固定されている構成とした。
この構成によれば、連結部材１３と脚部１４とを上下方向に離間した位置で固定することで、連結部材１３と脚部１４との連結強度を確保できる。よって、天板１１等の重量物を、杆材２１，２２を介して安定して支持できる。また、脚固定部材１４０〜１４３を脚部１４の延在方向に沿って配置できるので、脚部１４の小型化が可能になり、デザイン性を向上させることができる。
【００７３】
本実施形態において、第１上杆固定部材８６，８７が前後方向に間隔をあけて配置されるとともに、第１下杆固定部材８５に対して前後方向にずれて配置された構成とした。
この構成によれば、連結部材１３と第１杆材２１を３点以上で固定することで、連結部材１３と第１杆材２１との連結強度を向上させることができる。
【００７４】
本実施形態において、距離Ｑ３，Ｑ４が距離Ｑ２よりも短くなっている構成とした。
この構成によれば、第２下杆固定孔９１及び第２下台座部１１３ｂ間や第２上杆固定孔９２及び第２上台座部１１３ｄ間の間隔を近付けることで、連結部材１３の大型化を抑制した上で、連結部材１３における杆材２２との固定点の間隔を確保できる。これにより、連結部材１３の小型化を図った上で、連結部材１３のねじれ等に対する剛性を確保し易くなる。
【００７５】
本実施形態の天板付什器１は、上述したように脚部１４及び杆材２１，２２が連結部材１３を介して連結された杆材支持構造を有している。そのため、強度及びデザイン性に優れた天板付什器１を提供できる。
【００７６】
＜変形例＞
なお、上述した実施形態では、下台座部１１３ａ，１１３ｂ及び上台座部１１３ｂ，１１３ｄの高さとともに、下脚固定孔１００，１０２及び上脚固定孔１０１，１０３の高さも異ならせる構成について説明したが、この構成のみに限られない。すなわち、図１１に示すように、少なくとも下台座部１１３ａ，１１３ｂ及び上台座部１１３ｃ，１１３ｄの高さを異ならせていれば、下脚固定孔１００，１０２及び上脚固定孔１０１，１０３は上下方向で同等の位置に配置されていてもよい。
【００７７】
具体的に、本変形例の連結部材１３は、上述した第２ボス部６８を有さない構成であって、脚固定壁５１の上面を平坦面としている。一方、脚固定壁５１における第２上凹部６９及び第２下凹部１０８の深さは異なっている。そのため、本変形例では、脚固定壁５１の上面（第２下脚固定孔１０２及び第２上脚固定孔１０３の開口面）が同等の位置に設定された上で、脚部１４における連結部材１３との固定点（下台座部１１３ａ及び第１上台座部１１３ｃ）の位置が上下方向で異なっている。
【００７８】
このような構成においても、距離Ｑ３，Ｑ４が距離Ｑ２よりも短くなっていることで、上述した実施形態と同様の作用効果を奏することができる。
【００７９】
＜その他の変形例＞
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、連結部材１３が脚部１４や天板１１により覆われる構成について説明したが、この構成のみに限られない。連結部材１３は、外部に露呈していてもよい。
上述した実施形態では、脚固定部材１４０〜１４３が脚部１４の延在方向（上下方向）に沿って配置され、杆固定部材８５〜８７，９５〜９７が対応する杆材２１，２２の延在方向に沿って配置された構成について説明したが、この構成のみに限られない。すなわち、脚固定部材１４０〜１４３及び杆固定部材８５〜８７，９５〜９７の延在方向は、上述した距離の条件を満たしていれば、適宜変更が可能である。
【００８０】
上述した実施形態では、上杆固定部材を２つ有する構成について説明したが、下杆固定部材を２つ以上有する構成であってもよい。
上述した実施形態では、本発明の杆材支持構造として、杆材２１，２２によって天板１１を支持する構成について説明したが、この構成のみに限られない。杆材支持構造は、例えば天板以外の重量物（例えば、ディスプレイ等）を支持する構成でもよく、物品を吊り下げる構成等であってもよい。
【００８１】
上述した実施形態では、例えば複数の第１上杆固定部材８６，８７のうち、一方の第１上杆固定部材８６と、第１下杆固定部材８５や第１脚固定部材１４０，１４１と、の関係について説明したが、少なくとも何れかの上杆固定部材８６，８７との間で上述した距離の条件を満たしていればよい。
上述した実施形態では、連結部材１３が脚部１４や天板１１に覆われる構成について説明したが、この構成のみに限られない。連結部材１３は、天板付什器１の外部に露出していてもよい。
【００８２】
上述した実施形態では、固定孔を通じてビスを螺着することで、連結部材１３と、杆材２１，２２や脚部１４と、を連結する構成について説明したが、この構成のみに限られない。連結部材１３と、杆材２１，２２や脚部１４と、は例えば溶接等によって接続されていてもよい。
上述した実施形態では、上下方向に直交する面内において、互いに交差する２本の杆材２１，２２が連結部材１３に連結される構成について説明したが、この構成のみに限られない。連結部材１３に対して１本や３本以上の杆材が連結されていてもよい。
上述した実施形態では、本発明の天板付什器１としてテーブルを例にして説明したが、この構成のみに限られない。天板付什器は、例えば棚等であってもよい。
【００８３】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８４】
１…天板付什器
１１…天板
１３…連結部材
１４…脚部
２１…第１杆材
２２…第２杆材
８１…第１下杆固定孔（第１下杆固定部）
８２…第１上杆固定孔（第１上杆固定部）
９１…第２下杆固定孔（第２下杆固定部）
９２…第２上杆固定孔（第２上杆固定部）
１００…第１下脚固定孔（第２脚固定部）
１０１…第１上脚固定孔（第１脚固定部）
１０２…第２下脚固定孔（第２脚固定部）
１０３…第２上脚固定孔（第１脚固定部）
１１３ａ…第１下台座部（下台座部）
１１３ｂ…第１上台座部（上台座部）
１１３ｃ…第２下台座部（下台座部）
１１３ｄ…第２上台座部（下台座部）
１４０…第１下脚固定部材（固定部材）
１４１…第１上脚固定部材（固定部材）
１４２…第２下脚固定部材（固定部材）
１４３…第２上脚固定部材（固定部材）
Ｆ…床面
【図１】
2020010975.tif 000003
【図２】
2020010975.tif 000004
【図３】
2020010975.tif 000005
【図４】
2020010975.tif 000006
【図５】
2020010975.tif 000007
【図６】
2020010975.tif 000008
【図７】
2020010975.tif 000009
【図８】
2020010975.tif 000010
【図９】
2020010975.tif 000011
【図１０】
2020010975.tif 000012
【図１１】
2020010975.tif 000013